(57)【特許請求の範囲】
【請求項１】
親水性不織布又は綿布等によるタオル又はナプキンを圧搾成形してなる固形物と、水又は水溶液を収容した袋又は瓶とよりなり、固形物が容器であり、該容器内に上記袋又は瓶を内蔵し、上記水又は水溶液により上記固形物を崩壊膨潤させて湿タオル又は湿ナプキンに復元させるようにしたことを特徴とする成形タオル。
【請求項２】
上記容器に代り、上記袋又は瓶に上記固形物を内蔵に代り組込んだ請求項１記載の成形タオル。
【請求項３】
上記容器が２個の開口容器を開口縁を対接して中空容器となし、中空部に上記袋又は瓶を内蔵させた請求項１記載の成形タオル。
【請求項４】
上記容器が開口容器であって、内部に上記袋又は瓶を内蔵し、開口部を閉鎖した請求項１又は３記載の成形タオル。
【請求項５】
タオル又はナプキンに代りガーゼ、又は包帯であって、上記容器内にスポンジを内蔵した請求項１、３又は４のいずれかに記載の成形タオル。
【発明の詳細な説明】
【０００１】
【発明の属する技術分野】
本発明は不織布又は綿布等の圧搾固形タオル等を水の無い場所において湿潤及び膨潤させて、湿ったタオル等を得る技術に関するものである。
【０００２】
【従来の技術】
従来の不織布又は綿布圧搾固形タオル（通称マジックタオル）は直径４５ｍｍ、厚さ１０〜２０ｍｍ程度の円板又は直径３５ｍｍ程度の球に成形され、これを洗面器内の水に浸すことによって水を吸収させて湿ったタオルやナプキンとして利用するに過ぎず、携帯には便利であるが水の無い山頂、野外、砂漠又は戦場等では利用し難いという問題があった（実公昭５３−２１２１５号）。
【０００３】
【発明が解決しようとする課題】
本発明は携帯し易く、かつ水の無い山頂、野外、砂漠又は戦場等において、湿タオルや湿ナプキン等を簡便に得られ、かつ戦場ではリバノールガーゼ等の医療用殺菌ガーゼ、包帯等を得ることを目的とする。
【０００４】
【課題を解決するための手段】
上記の目的を達成するため本発明は
親水性不織布又は綿布等によるタオル又はナプキンを圧搾成形してなる固形物と、水又は水溶液を収容した袋又は瓶とよりなり、固形物が容器であり、該容器内に上記袋又は瓶を内蔵し、上記水又は水溶液により上記固形物を崩壊膨潤させて湿タオル又は湿ナプキンに復元させるようにしたことを特徴とする成形タオル、
上記容器に代り、上記袋又は瓶に上記固形物を内蔵に代り組込んだ上記第１発明記載の成形タオル、
上記容器が２個の開口容器を開口縁を対接して中空容器となし、中空部に上記袋又は瓶を内蔵させた上記第１発明記載の成形タオル、
上記容器が開口容器であって、内部に上記袋又は瓶を内蔵し、開口部を閉鎖した上記第１又は第３発明記載の成形タオル、
タオル又はナプキンに代りガーゼ、又は包帯であって、上記容器内にスポンジを内蔵した上記第１、第３又は第４発明のいずれかに記載の成形タオル、
によって構成される。
【０００５】
【発明の実施の形態】
親水性不織布又は綿布等１を折畳み、図１（イ）図に示すシリンダ５内の受型６上に均等に堆積する。上記不織布又は綿布等１にはタオル、ナプキン、ガーゼ又は包帯或は脱脂綿が用いられる。
【０００６】
その状態においてシリンダ５内に押型７を嵌合下降し、上記均等堆積物を押型７で圧搾することにより、２個の開口容器２’、２’に成形し、該容器２’、２’は接続部２ｂによって一体に成形され、２個一体の開口容器２’、２’は図１（ロ）（ハ）図に示すように半球形であり、又は図５（イ）（ロ）図、図６（イ）（ロ）図に示すように６角又は８角截頭錐形であり、一方の開口容器２’の開口縁２”に細紐８の通し溝８’、８’を形成する。
【０００７】
２個一体の上記開口容器２’、２’は接続部２ｂから折り曲げて開口縁２”、２”を対接し図４（イ）（ロ）図に示すように球状中空容器２ａを形成することができ、中空部ｓに薄いゴム膜による球形袋３を嵌合して内臓し、該球状中空容器２ａをシュリンク包装する。
【０００８】
上記球形袋３にはゴム製臍部３ｃを有し、図２に示すように注射器９で内部空気を抜気し、該注射器９で水又は水溶液４を注入収容して球形となし、これを上記中空部ｓに嵌合させる。
【０００９】
上記水又は水溶液４の収容球形袋３の半円形外周に沿って非伸縮性無端細紐８を接着剤で止着し、該細紐８を上記通し溝８’、８’内に配置し、余長部８”を袋３外に露出し、余長部８”を手で矢印ａ方向（図４）に牽引することによって内部の球形袋３を破り、該袋３内の水又は水溶液４を上記中空部ｓ内に排出し、それによって球状中空容器２ａを内部から湿潤膨潤させて崩壊し、湿タオル又は湿ナプキン或は湿ガーゼ、湿包帯、湿脱脂綿に復元変形させることができる。
【００１０】
又上記受型６及び押型７によって図７（イ）図、図８及び図９に示す１個の有底円筒開口容器２’を上述のようにシリンダ５内で圧搾成形し、該容器２’内に合成樹脂製円筒瓶３’を嵌合内蔵し、蓋１０又はシュリンク包装等によって開口部を閉鎖する。
【００１１】
上記円筒瓶３’には注出口３”を有し、ネジ栓３ａで閉じ、中に水又は水溶液４を収容し、ネジ栓３ａを外して注出口３”から上記開口容器２’内に注入すると、該容器２’は水又は水溶液４を吸収して崩壊膨潤し、湿タオル、湿ナプキン等に変形復元する。
【００１２】
図９に示すように上記瓶３’と上記開口容器２’の底部との間にスポンジ３ｂを添蔵（内蔵）し、消毒液に浸して患部を拭くもので、上記瓶３’内には消毒液例えばリバノール水溶液、止血液（ピルリン液）等４を収容（充填）し、該消毒液４を上記開口容器２’内に注入することによって該容器２’は該消毒液４を吸収して崩壊膨潤復元して消毒液４を含んだ湿タオル、湿ナプキン、湿ガーゼ等に変形する。
【００１３】
上記シリンダ５内における押型７による押圧は６０ｋｇ／ｃｍ２以上で５〜２０分間行うことによって上記容器２，２’に圧搾成形され、その形状が保持される（実公昭５３−２１２１５号参照）。
【００１４】
上記袋３又は瓶３’内に収容した水又は水溶液４の適量は上記容器２，２’が吸収崩壊膨潤させ得る量であれば足り、該容器２，２’を湿タオル、湿ナプキン等に復元させ得る量である。
【００１５】
図１０に示すようにビニール袋又は箱１１内に上記不織布又は綿布１の圧搾成形固形物２ｃ及び上記水又は水溶液４を収容した袋３又は瓶３’を収容して用い、或は図１１（イ）（ロ）図に示すように上記瓶３’に凹部３ｄを形成し、該凹部３ｄに上記固形物２ｃを嵌合して組込むようにしてもよい。
【００１６】
【発明の効果】
本発明は上述のように構成したので水の無い山野、砂漠或は戦場等において簡便に湿タオル、湿ナプキン或は湿ガーゼ、湿包帯等が得られる効果がある。
【００１７】
又上記容器内のスポンジに消毒液を含ませて傷口を拭くことができる。
【図面の簡単な説明】
【図１】（イ）図はシリンダ内圧搾成形状態の縦断面図である。
（ロ）図は本発明の容器の平面図である。
（ハ）図は（ロ）図の正面図である。
【図２】袋に水を注入している状態の斜視図である。
【図３】（イ）図は袋に細紐を掛回した状態の斜視図である。
（ロ）図は開口容器の斜視図である。
【図４】（イ）図は大径中空球状容器の斜視図である。
（ロ）図は小径中空球状容器の斜視図である。
【図５】（イ）図は６角形開口中空容器の平面図である。
（ロ）図は（イ）図Ａ−Ａ線による縦断面図である。
【図６】（イ）図は８角形開口中空容器の平面図である。
（ロ）図は（イ）図Ｂ−Ｂ線による縦断面図である。
【図７】（イ）図は一端開口有底筒状容器及び蓋の斜視図である。
（ロ）図は瓶の斜視図である。
【図８】一端開口有底筒状容器に瓶を嵌合した状態及び蓋の縦断面図である。
【図９】一端開口有底筒状容器の底部にスポンジを介在させた状態の透視図である。
【図１０】ビニール袋又は箱内に上記固形物及び瓶を収容した状態の正面図である。
【図１１】（イ）図は上記瓶に形成した凹部に上記固形物を嵌合した正面図である。
（ロ）図は（イ）図の縦断側面図である。
【符号の説明】
１      親水性不織布又は綿布によるタオル、ナプキン、ガーゼ又は包帯等
２      容器
２’    開口容器
２”    開口縁
２ａ    中空容器
２ｃ    固形物
ｓ      中空部
３      袋
３’    瓶
３ｂ    スポンジ
４      水又は水溶液
【図１】
0003623733.tif 000002
【図２】
0003623733.tif 000003
【図３】
0003623733.tif 000004
【図４】
0003623733.tif 000005
【図５】
0003623733.tif 000006
【図６】
0003623733.tif 000007
【図７】
0003623733.tif 000008
【図８】
0003623733.tif 000009
【図９】
0003623733.tif 000010
【図１０】
0003623733.tif 000011
【図１１】
0003623733.tif 000012